(57)【要約】【課題】掃除機のホース側に対し、接続し易く且つ不用意に外れ難い異物吸引ノズルを提供すること。【解決手段】掃除機のホースに装着される隙間ノズルＮに接続可能な略角筒状の接続部１６と、この接続部１６よりも径方向の寸法が小さい略円筒状の先細部１７とを備えて異物吸引ノズル１０が構成されている。この異物吸引ノズル１０は、弾性変形可能な可撓性を備えた塩化ビニル等の弾性材料によって形成されており、前記接続部１６は、前記隙間ノズルＮの先端側を略密着状態で受容可能に設けられ、隙間ノズルＮに対し、所定の締付力を付与しながら嵌合するようになっている。【選択図】          図３
2004222815.tif 000002
【特許請求の範囲】
【請求項１】
掃除機のホースの先端側に接続され、当該掃除機の動作により、喉内の異物を先端側の吸引口から吸引して前記ホース側に案内する異物吸引ノズルにおいて、
前記ホースに装着される隙間ノズルに接続可能な接続部を備え、
前記接続部は、前記隙間ノズルの先端側を略密着状態で受容可能に設けられ、前記隙間ノズルに対し、所定の締付力を付与しながら嵌合することを特徴とする異物吸引ノズル。
【請求項２】
前記接続部は、外形の異なる隙間ノズルにそれぞれ嵌合可能な可撓性を備えたことを特徴とする請求項１記載の異物吸引ノズル。
【請求項３】
前記接続部は、前記隙間ノズルとの接触部位に摩擦抵抗付与手段が設けられ、
前記摩擦抵抗付与手段は、前記接触部位と隙間ノズルとの間の摩擦抵抗を増大させ、それら嵌合時の相対移動を規制することを特徴とする請求項１又は２記載の異物吸引ノズル。
【請求項４】
前記吸引口は、複数箇所に設けられていることを特徴とする請求項１、２又は３記載の異物吸引ノズル。
【発明の詳細な説明】
【０００１】
【発明の属する技術分野】
本発明は異物吸引ノズルに係り、特に、掃除機のホースの先端側に接続され、当該掃除機の吸引力を利用して喉内の異物を除去する際に用いる異物吸引ノズルに関する。
【０００２】
【従来の技術】
老人や幼児等が食物等の異物を喉に詰まらせた場合、当該異物の迅速な除去が望まれる。ここで、喉に詰まった異物を他の者が除去するためのツールとして、後記特許文献１の吸引具が知られている。当該吸引具は、掃除機のホースの先端側に接続されるノズル状のものであり、当該掃除機の吸引力を利用して、前記異物を体外に除去できるようになっている。すなわち、前記吸引具は、喉内に挿入されるノズルと、このノズルの一端側に設けられ、掃除機のホース内に挿入される接続部とにより構成されている。この接続部は、弾力性を有しており、中央が両端よりも次第に外径が大きくなる略卵型に設けられている。このため、接続部は、内径の異なる種々のホースとの接続が可能となっている。
【０００３】
【特許文献１】
実開平４−７０００７号公報
【０００４】
【発明が解決しようとする課題】
しかしながら、前記吸引具にあっては、その接続部が略卵型となっているため、当該接続部を略円筒状のホース内にスムーズに挿入し易いものの、当該ホースとの接続状態が不安定になるという不都合がある。すなわち、前記接続部は、その外周面が湾曲面状になっているため、前記ホースの内周面との接触面積が少ない状態で当該ホースに接続されることになり、吸引具がホースから不用意に外れ易くなる。従って、吸引具を用いた異物の除去作業時には、接続部とホースとの間を手で補助的に把持しなければならず、異物の除去作業を一人で行い難く不便であるという不都合を招来する。
【０００５】
【発明の目的】
本発明は、このような不都合に着目して案出されたものであり、その主目的は、掃除機のホース側に対し、接続し易く且つ不用意に外れ難い異物吸引ノズルを提供することにある。
【０００６】
また、本発明の他の目的は、一製品で種々の形状やサイズの隙間ノズルに接続可能な異物吸引ノズルを提供することにある。
【０００７】
【課題を解決するための手段】
前記目的を達成するため、本発明は、掃除機のホースの先端側に接続され、当該掃除機の動作により、喉内の異物を先端側の吸引口から吸引して前記ホース側に案内する異物吸引ノズルにおいて、
前記ホースに装着される隙間ノズルに接続可能な接続部を備え、
前記接続部は、前記隙間ノズルの先端側を略密着状態で受容可能に設けられ、前記隙間ノズルに対し、所定の締付力を付与しながら嵌合する、という構成を採っている。このような構成によれば、接続部が、隙間ノズルの先端側を受容して接続される構造となっているため、隙間ノズルの先端側を利用して、当該隙間ノズルと接続部とをスムーズに接続することができる。従って、前記ホースと隙間ノズルとの装着を介し、異物吸引ノズルをホースの先端側に簡単に接続することができる。しかも、前記接続部は、前記隙間ノズルの先端側を略密着状態で受容可能に設けられ、前記隙間ノズルに対し、所定の締付力を付与しながら嵌合する構造になっているため、異物吸引ノズルと隙間ノズルとの接続状態を強固に維持することができ、喉に詰まった異物の除去作業を一人でも安定して行うことができる。
【０００８】
本発明における接続部は、外形の異なる隙間ノズルにそれぞれ嵌合可能な可撓性を備える、という構成を採ることが好ましい。このように構成することで、一種類の異物吸引ノズルで、サイズや形状の異なる多くの隙間ノズルへの接続が可能となる。
【０００９】
また、前記接続部は、前記隙間ノズルとの接触部位に摩擦抵抗付与手段が設けられ、
前記摩擦抵抗付与手段は、前記接触部位と隙間ノズルとの間の摩擦抵抗を増大させ、それら嵌合時の相対移動を規制する、という構成を併用することができる。これにより、接続部と隙間ノズルとを一層強固に接続することができる。
【００１０】
更に、前記吸引口を複数箇所に設けるとよい。このような構成によれば、前記異物の除去作業の過程で、一の吸引口が舌や頬等の口腔組織を吸引することで閉塞されたとしても、他の吸引口から前記異物を吸引することができ、異物の除去作業を少ない動作や時間で行うことが可能になる。
【００１１】
なお、本明細書における「掃除機」は、掃除用の吸引機器の他、機器外部の物を機器内部に吸引可能な全ての吸引機器を含む概念として用いる。
【００１２】
また、「隙間ノズル」とは、掃除機のホースの先端側に取り付けられる筒状部材のうち、先端側が略角筒状をなすものを意味する。
【００１３】
【発明の実施の形態】
以下、本発明の実施の形態について図面を参照しながら説明する。
【００１４】
図１には、本実施形態に係る異物吸引ノズルを用いた異物の除去作業を説明するための概念図が示され、図２には、前記異物吸引ノズルの接続を説明するための概略平面図が示されている。これらの図において、異物吸引ノズル１０は、ある患者Ｐの喉内に詰まった異物Ｂを他の者（図示省略）が除去する際に用いられるものである。この異物吸引ノズル１０は、家庭用の掃除機ＣのホースＨの先端側に装着された隙間ノズルＮに接続され、掃除機Ｃの動作により、前記異物Ｂを喉内から吸引してホースＨ側に案内するようになっている。なお、本実施形態の隙間ノズルＮは、先端側が尖った角筒状をなしている。
【００１５】
具体的に、前記異物吸引ノズル１０は、図３及び図４に示されるように、内部が異物Ｂの通路となる段付きの筒状をなし、延出方向両端側に、相互に開口形状の異なる開放部１３，１４が形成されている。異物吸引ノズル１０は、弾性変形可能な可撓性を備えた塩化ビニル等の弾性材料によって形成されており、前記隙間ノズルＮに接続可能な略角筒状の接続部１６と、この接続部１６よりも径方向の寸法が小さい略円筒状の先細部１７と、これら接続部１６及び先細部１７間に連なるテーパ状の中間部１８とを備えて構成されている。
【００１６】
前記接続部１６は、略長方形状の外形をなし、その内部空間２０に隙間ノズルＮの先端側が略密着状態で受容されるようになっている。ここで、隙間ノズルＮは、接続部１６の一端側に位置する前記開放部１３から挿入される。この接続部１６の内寸法は、前記弾性材料の可撓性を利用して、各メーカの掃除機に付属する種々の形状、サイズの隙間ノズルＮに対して嵌合可能に設定されている。すなわち、当該嵌合時において、接続部１６の内周面１６Ａ（図４参照）は、隙間ノズルＮの先端側の外周面Ｎ１に対し略面接触し、接続部１６の弾性変形により、隙間ノズルＮに所定の締付力が付与されるようになっている。なお、特に限定されるものではないが、本実施形態の接続部１６は、その内部空間２０の寸法が、略全域で、図４（Ｂ）中上下方向３４ｍｍ程度、同図中左右方向８ｍｍ〜９ｍｍ程度に設定されている。また、図示省略しているが、隙間ノズルＮの外周面Ｎ１の接触部位となる接続部１６の内周面１６Ａには、しぼ加工等の微細な凹凸面が形成されている。この凹凸面は、隙間ノズルＮとの間の摩擦抵抗を増大させ、接続部１６及び隙間ノズルＮの嵌合時の相対移動を規制する摩擦抵抗付与手段として作用する。この摩擦抵抗付与手段は、接続部１６内に嵌め込まれた隙間ノズルＮの抜け止めを行える限りにおいて、種々の構成とすることができ、また、隙間ノズルＮの外周面Ｎ１に同様な構成が採用されている場合等においては、省略することも可能である。
【００１７】
前記先細部１７は、略円形状の外形をなし、その基端側となる中間部１８側から先端側に位置する前記開放部１４に向かって、僅かながら次第に細径となる形状に設けられている。この先細部１７の外周部分には、開放部１４寄りに、丸穴状の貫通穴２２が形成されている。これら開放部１４及び貫通穴２２は、喉内の異物Ｂを異物吸引ノズル１０内に吸引するための吸引口を構成する。このように吸引口１４，２２が二箇所に設けられているため、その何れか一方が、舌や頬等の口腔組織を吸引して閉塞されてしまったときに、何れか他方で前記異物Ｂを吸引可能となる。なお、各吸引口１４，２２の形状、形成位置、形成数は、異物Ｂの吸引を行うことができる限りにおいて適宜変更可能である。なお、先細部１７の先端側には、内部に向かって僅かに湾曲する面取り部２５が形成されている。
【００１８】
本実施形態における異物吸引ノズル１０は、特に限定されるものではないが、その全体の長さ（図４（Ａ）中左右幅）が１５０ｍｍ程度に設定され、そのうち、接続部１６の長さが７５ｍｍ程度に設定され、先細部１７の長さが５３ｍｍ程度に設定されている。また、各部１６〜１８の肉厚は、３ｍｍ程度に設定されている。更に、先細部１７の図４（Ａ）中右端側に位置する基端側の内径が１３ｍｍ程度に設定され、開放部１４の内径が６ｍｍ程度に設定されている。
【００１９】
以上の構成の異物吸引ノズル１０により、異物Ｂの除去作業をする際には、図１及び図２に示されるように、掃除機ＣのホースＨの先端側に隙間ノズルＮを装着する前後何れかのタイミングで、当該隙間ノズルＮと異物吸引ノズル１０とを接続する。この際、図２に示されるように尖頭状となっている隙間ノズルＮの先端側を異物吸引ノズル１０の開放部１３から接続部１６の内部空間２０に差し込み、接続部１６を弾性変形させながら内部空間２０を拡開させ、隙間ノズルＮを接続部１６に嵌め込む。そして、掃除機Ｃの電源を投入するとともに、異物吸引ノズル１０を先細部１７側から患者Ｐの喉内に挿入することで、喉内に詰まった異物Ｂが開放部１４若しくは貫通穴２２から掃除機Ｃ側に吸い取られる。
【００２０】
従って、このような実施形態によれば、異物吸引ノズル１０は、尖頭状の隙間ノズルＮを差し込んで接続する構造になっているため、当該接続作業が行い易くなるという効果を得る。
また、異物吸引ノズル１０は、種々の形状の隙間ノズルＮに対して、当該隙間ノズルＮを締め付けた状態で略ぴったりと嵌合し、各ノズル１０，Ｎの接続状態を強固に保つことができる他、従来のカテーテルタイプの吸引ノズルに対して全体長さを短くできるという効果をも得る。その結果、異物Ｂの除去作業時に、異物吸引ノズル１０と隙間ノズルＮとの接続部分を手で把持する必要がなくなり、異物Ｂの除去作業を一人で行うことが可能となる。
【００２１】
なお、前記実施形態にあっては、家庭用の掃除機Ｃを用いたが、本発明はこれに限らず、業務用の掃除機を含む他の吸引機を用いることも可能である。
【００２２】
また、本発明における装置各部の構成は図示構成例に限定されるものではなく、実質的に同様の作用を奏する限りにおいて、種々の設計変更が可能である。
【００２３】
【発明の効果】
以上説明したように、本発明によれば、掃除機のホースに装着される隙間ノズルに接続可能な接続部が、前記隙間ノズルの先端側を略密着状態で受容可能に設けられ、前記隙間ノズルに対し、所定の締付力を付与しながら嵌合されるように構成したから、掃除機のホース側に対し、接続し易く且つ不用意に外れ難くすることができる。
【００２４】
また、外形の異なる隙間ノズルにそれぞれ嵌合可能な可撓性を備えたから、一製品で種々の隙間ノズルへの接続が可能となる。
【図面の簡単な説明】
【図１】本実施形態に係る異物吸引ノズルを用いた異物の除去作業を説明するための概念図。
【図２】（Ａ）は、前記異物吸引ノズルが隙間ノズルに接続される前の状態を示す概略平面図であり、（Ｂ）は、前記異物吸引ノズルが隙間ノズルに接続された状態を示す概略平面図である。
【図３】前記異物吸引ノズルの概略斜視図。
【図４】（Ａ）は、図３のＡ−Ａ線に沿う前記異物吸引ノズルの縦断面図であり、（Ｂ）は、（Ａ）におけるＢ−Ｂ線方向の前記異物吸引ノズルの縦断面図である。
【符号の説明】
１０  異物吸引ノズル
１４  開放部（吸引口）
１６  接続部
１６Ａ  内周面（接触部位）
２２  貫通穴（吸引口）
Ｂ  異物
Ｃ  掃除機
Ｈ  ホース
Ｎ  隙間ノズル
【図１】
2004222815.tif 000003
【図２】
2004222815.tif 000004
【図３】
2004222815.tif 000005
【図４】
2004222815.tif 000006